(57)【要約】【課題】ストレスレベルが高くなっている操作者にあっては、当該操作者の決裁内容あるいは操作内容を十分に確認せずに決裁処理あるいは操作を行っており、しばしば、決裁処理あるいは操作の妥当性が問題になることがあった。【解決手段】情報システムにおいて、操作者が直接操作する情報機器に操作者のストレスレベルを計測する機能を設け、当該ストレス計測機能は操作者のストレスレベルを常時測定して情報機器に通知し、当該情報機器は操作者のストレスレベルを判定して当該ストレスレベルに対応する処理を実施するようにしている。【選択図】図２
2006318298.tif 000002
【特許請求の範囲】
【請求項１】
情報機器操作者のストレスレベルを計測する機能を有する情報システムにおいて、操作者が情報機器を利用して決裁処理を行う際、システムは当該操作者のストレスレベルを計測し当該ストレスレベルが一定値以上となっている時間が一定時間以上の場合には当該操作者に警告を発する機器操作方法。
【請求項２】
情報機器操作者のストレスレベルを計測する機能を有する情報システムにおいて、操作者が情報機器を利用して決裁処理を行う際、システムは当該操作者のストレスレベルを計測し当該ストレスレベルが一定値以上となっている時間が一定時間以上の場合には当該決裁情報に前記ストレスレベルを付加して上位決裁者に前記決裁情報と前記ストレスレベルを通知する機器操作方法。
【請求項３】
情報機器操作者のストレスレベルを計測する機能を有する情報システムにおいて、操作者が情報機器を利用して決裁処理を行う際、システムは当該操作者のストレスレベルを計測し当該ストレスレベルが一定値以上となっている時間が一定時間以上の場合には当該決裁を拒否する機器操作方法。
【請求項４】
情報機器操作者のストレスレベルを計測する機能を有する情報システムにおいて、請求項１−３記載の、警告を発する、決裁情報に前記ストレスレベルを付加して上位決裁者に前記決裁情報と前記ストレスレベルを通知する、当該決済を拒否する、為のストレスレベルの一定値あるいは一定時間または一定値及び一定時間を、それぞれの場合で異なるものとし、ストレスレベルの値及びその時間に応じて対応する処理を行う機器操作方法。
【請求項５】
情報機器操作者のストレスレベルを計測する機能を有する情報システムにおいて、操作者が情報機器を利用して決裁処理を行う際、システムは当該操作者のストレスレベルを計測し当該ストレスレベルが一定値以上となっている時間が一定時間以上の場合には当該操作者が決裁すべき事項を確認する時間を計測し、当該確認時間が一定時間以内の場合に請求項１−３記載の処理を行う機器操作方法。
【請求項６】
請求項５記載のシステムにおいて、警告を発する、決裁情報に前記ストレスレベルを付加して上位決裁者に前記決済情報と前記ストレスレベルを通知する、当該決裁を拒否する、為のストレスレベルの一定値あるいは一定時間または一定値及び一定時間を、それぞれの場合で異なるものとし、ストレスレベルの値及びその時間に応じて対応する処理を行う機器操作方法。
【請求項７】
情報機器を利用した決済の代わりに、操作者、システム運用者あるいはシステムが指定した業務処理に関して、請求項１−６記載の処理を行う機器操作方法。
【発明の詳細な説明】
【技術分野】
【０００１】
本発明は、情報システム、特に、パソコン等の情報機器を操作する情報システムに関するものである。
【背景技術】
【０００２】
従来の情報システムでは、操作者が情報機器を利用して決裁等の重要な業務を行う場合、システムは、「この内容で決裁して宜しいですね」というメッセージを出して警告を発したり、確認ボタンを表示して操作者に確認させる程度であり、このような確認のないものもあった。操作者は、上記メッセージや確認ボタンに対して決裁内容等を十分に確認することなく、決裁等の処理を行っている状況であった。
【非特許文献１】“日経消費経済フォーラム、２月月例セミナーのお知らせ申し込フォーム”、［online］、［平成１７年５月１１日検索］、インターネット＜URL：http://parts.nikkei.co.jp/rim/seminarorder2.htm＞
【発明の開示】
【発明が解決しようとする課題】
【０００３】
以上のように、情報システムにおいて、ストレスレベルが高くなっている操作者にあっては、当該操作者の決裁内容あるいは操作内容を十分に確認せずに決裁処理あるいは操作を行っており、しばしば、決裁処理あるいは操作の妥当性が問題になることがあった。
【課題を解決するための手段】
【０００４】
上記の課題を解決するため、情報システムにおいて、操作者が直接操作する情報機器に操作者のストレスレベルを計測する機能を設け、当該ストレス計測機能は操作者のストレスレベルを常時測定して情報機器に通知し、当該情報機器は操作者のストレスレベルを判定して当該ストレスレベルに対応する処理を実施するようにしている。
【０００５】
ここで、ストレスを計測する方法としては、操作者に光を当て当該操作者の瞳孔がその光に反応して収縮するスピードや収縮の程度を計測する方法、手等の発汗量から計測する方法、脈拍数から計測する方法等がある。
【０００６】
また、決裁とは、情報機器を利用して部下等からの要求に対して了承あるいは拒絶を行うものであり、例えば、物品購入等の契約に関するもの、部下が行う活動内容に関するもの、勤務時間の管理に関するもの、等がある。
【０００７】
更に、業務内容とは、例えば、インターネットでの講演会の申し込み、団体等への入会申し込み、だけではなく、文書作成時の保存等がある。業務内容で、他人の了承が不要であるものに関しては、勿論、当該他人へのストレスレベルの通知は不要である。
【０００８】
そして、情報システムとしては、クライアントサーバ型であっても良いし、スタンドアロン型でも良い。
【発明の効果】
【０００９】
以上説明したように、本発明によれば、情報システムにおいて、操作者が直接操作する情報機器に操作者のストレスレベルを計測する機能を設け、当該ストレス計測機能は操作者のストレスレベルを常時測定して情報機器に通知し、当該情報機器は操作者のストレスレベルを判定して当該ストレスレベルに対応する処理を実施することにより、当該操作者が妥当な決裁あるいは操作を行うことが可能となる。
【発明を実施するための最良の形態】
【００１０】
以下、本発明の実施形態例を図面により詳細に説明する。
【００１１】
本発明を実現するためのシステム構成例を図１に示す。
【００１２】
情報システムは、決裁要求元端末１、決裁者端末２（必要であれば、下位決裁者、上位決裁者）、決裁情報管理サーバ３、及び、これらを接続するネットワーク４から構成される。
【００１３】
本発明の実施例を実現するための決裁者端末２の構成例をそれぞれ図２に示す。
【００１４】
なお、ストレスを計測する方法としては、操作者に光を当て当該操作者の瞳孔がその光に反応して収縮するスピードや収縮の程度を計測する方法を利用する実施例であるが、手等の発汗量から計測する場合には発汗量を計測してストレスレベルを計測する、脈拍数から計測する場合には操作者の脈拍数を計測する方法により、同様に実現できる。
【００１５】
第１の実施例として、操作者が情報機器を利用して決裁処理を行う際、システムは当該操作者のストレスレベルを計測し当該ストレスレベルが一定値以上となっている時間が一定時間以上の場合には当該操作者に警告を発する場合の実施例について示す。
【００１６】
操作者のストレス監視処理に関するフローチャートの例を図３に示す。
【００１７】
操作者は、決裁者端末２を起動して、操作者番号を入力部２１から入力する。
【００１８】
決裁者端末２では、入力部２１は当該操作者番号を決裁処理部２２に通知する。決裁処理部２２は、当該操作者番号を通信管理部２３を経由して決裁情報管理サーバに通知する。
【００１９】
決裁情報管理サーバでは、従来の決裁情報管理サーバと同様に、当該操作者番号に対応する未決裁の決裁情報を前記決裁者端末２に送信する。
【００２０】
決裁者端末２では、当該決裁情報を受信すると、通信管理部２３は当該決裁情報を決裁処理部２２に通知する。決裁処理部２２は当該決裁情報を出力部２４に通知する。出力部２４は、当該決裁情報を操作者に提示する。
【００２１】
操作者は、出力部２４の決裁情報を確認してゆく。
【００２２】
ストレス計測部２５は、従来技術と同様に、常時、操作者の瞳孔に光を当て当該操作者の瞳孔がその光に反応して収縮するスピードや収縮の程度からストレスレベルを計測し、当該ストレスレベルをストレス対処部２６に送信する。
【００２３】
ストレス対処部２６は、常時通知されて来るストレスレベルを記憶し、ストレスレベルが予め規定された値以上になった場合には、ＯＳ２７から現在時刻を取得して当該時刻を記憶する。通知されるストレスレベルが前記の一定値未満の場合には前記時刻を消去する。通知されるストレスレベルが前記一定値以上の場合には、ＯＳ２７から現在時刻を取得して、また、前記で記憶した時刻を抽出して、一定値以上となっている時間を計算し、当該時間が予め規定されている一定値以上の場合には、決裁処理部２２に通知する。
【００２４】
決裁処理部２２は、「ストレス過剰のため、決裁処理を中断して、休憩してください。」というメッセージを出力部２４に通知する。出力部２４は、当該メッセージを操作者に提示する。
【００２５】
なお、警告の仕方としては、上記のようなメッセージを出力する方法以外に、画面表示を消す方法等がある。
【００２６】
第２の実施例として、操作者が情報機器を利用して決裁処理を行う際、システムは当該操作者のストレスレベルを計測し当該ストレスレベルが一定値以上となっている時間が一定時間以上の場合には当該決裁情報に前記ストレスレベルを付加して上位決裁者に前記決裁情報と前記ストレスレベルが通知する場合の実施例について示す。
【００２７】
操作者のストレスレベルが一定値以上の状態が一定時間継続して決裁処理部２２に通知するまでの処理は第１の実施例と同様である。
【００２８】
決裁処理部２２は、当該操作者が当該決裁情報を了承すると当該決裁情報に前記ストレスレベルを付加し、ストレスレベルが付加された決裁情報を通信管理部２３を経由して決裁情報管理サーバに送信する。
【００２９】
決裁情報管理サーバでは、前記決裁情報を記憶する。
【００３０】
上位決裁者が、当該決裁情報を読み出した場合には、前記ストレスレベルが付加された決裁情報が当該上位決裁者に送信される。
【００３１】
上位決裁者は、決裁を否決して下位決裁者にその旨通知するか、決裁情報を慎重に確認して了承あるいは否決を行う。
【００３２】
第３の実施例として、操作者が情報機器を利用して決裁処理を行う際、システムは当該操作者のストレスレベルを計測し当該ストレスレベルが一定値以上となっている時間が一定時間以上の場合には当該決裁を拒否する場合の実施例について示す。
【００３３】
操作者のストレスレベルが一定値以上の状態が一定時間継続して決裁処理部２２に通知するまでの処理は第１の実施例と同様である。  
決裁処理部２２は、操作者がまだ決裁していない場合には出力部２４に通知して決裁情報を画面から消去し、操作者が決裁した場合には当該決裁を無効とし出力部２４に「ストレス過剰のため、決裁処理を取り消しました。改めて決裁を行ってください」というメッセージを出力部２４に通知する。出力部２４は、当該メッセージを操作者に提示する。
【００３４】
第４の実施例として、第１−３の実施例の、警告を発する、決裁情報に前記ストレスレベルを付加して上位決裁者に前記決裁情報と前記ストレスレベルを通知する、当該決裁を拒否する、為のストレスレベルの一定値あるいは一定時間または一定値及び一定時間を、それぞれの場合で異なるものとし、ストレスレベルの値及びその時間に応じて対応する処理を行う場合の実施例について示す。
【００３５】
ここでは、Ａ＜Ｂ＜Ｃ、ａ＜ｂ＜ｃとし、ストレスレベル＝Ａで継続時間＝ａの場合には警告を発する、ストレスレベル＝Ｂで継続時間＝ｂの場合には決裁情報に前記ストレスレベルを付加して上位決裁者に前記決裁情報と前記ストレスレベルが通知する、ストレスレベル＝Ｃで継続時間＝ｃの場合には当該決裁を拒否する場合について説明するが、他の場合も同様である。
【００３６】
ここで、ストレス開始時刻管理情報の例を図４に示す。
【００３７】
ストレスレベルに対応した対処処理に関するフローチャートの例を図５に示す。
【００３８】
操作者のストレスレベルを計測までの処理は第１の実施例と同様である。
【００３９】
ストレス対処部２６は、常時通知されて来るストレスレベルを記憶し、ストレスレベルが予め規定された値Ｘに関し、Ｘ＜Ａか、Ａ≦Ｘ＜Ｂ（以下、ストレスレベル１という）か、Ｂ≦Ｘ＜Ｃ（以下、ストレスレベル２という）か、Ｃ＜Ｘ（以下、ストレスレベル３という）か判定する。Ｘ＜Ａであればストレス開始時刻管理情報に時刻が記憶されていれば当該時刻を消去する。
【００４０】
Ａ≦Ｘ＜Ｂであれば、前記ストレス開始時刻管理情報を参照して時刻がストレスレベル１に記憶されていれば、ＯＳ２７から現在時刻を取得するとともに前記で記憶した時刻を抽出して継続時間を計算し、当該継続時間＜ａであれば無視し、ａ≦当該継続時間であれば決裁処理部２２に通知する。決裁処理部２２は、第１の実施例と同様の処理を行う。ストレスレベル２あるいはストレスレベル３に記憶されていればストレスレベル２あるいはストレスレベル３に記憶されれている時刻をストレスレベル１の時刻として記憶するとともにストレスレベル２あるいはストレスレベル３に記憶されている時刻を消去する。時刻がいずれのストレスレベルにも記憶されていない場合には、ＯＳ２７から現在時刻を取得して当該時刻をストレスレベル１の時刻として記憶する。
【００４１】
Ｂ≦Ｘ＜Ｃであれば、前記ストレス開始時刻管理情報を参照して時刻がストレスレベル１に記憶されていれば当該時刻を消去してＯＳ２７から現在時刻を取得して当該時刻をストレスレベル２に記憶し、ストレスレベル２に記憶されていればＯＳ２７から現在時刻を取得するとともに前記で記憶した時刻を抽出して継続時間を計算し、当該継続時間＜ｂであれば無視し、ｂ≦当該継続時間であれば決裁処理部２２に通知する。決裁処理部２２は、第２の実施例と同様の処理を行う。ストレスレベル３に記憶されていればストレスレベル３に記憶されている時刻をストレスレベル２の時刻として記憶するとともにストレスレベル３に記憶されている時刻を消去する。時刻がいずれのストレスレベルにも記憶されていない場合には、ＯＳ２７から現在時刻を取得して当該時刻をストレスレベル２の時刻として記憶する。
【００４２】
Ｃ＜Ｘであれば、前記ストレス開始時刻管理情報を参照して時刻がストレスレベル１あるいはストレスレベル２に記憶されていれば当該時刻を消去してＯＳ２７から現在時刻を取得して当該時刻をストレスレベル３に記憶し、ストレスレベル３に記憶されていれば、ＯＳ２７から現在時刻を取得するとともに前記で記憶した時刻を抽出して継続時間を計算し、当該継続時間＜ｃであれば無視し、ｃ≦当該継続時間であれば決裁処理部２２に通知する。決裁処理部２２は、第３の実施例と同様の処理を行う。時刻がいずれのストレスレベルにも記憶されていない場合には、ＯＳ２７から現在時刻を取得して当該時刻をストレスレベル３の時刻として記憶する。
【００４３】
第５の実施例として、操作者が情報機器を利用して決裁処理を行う際、システムは当該操作者のストレスレベルを計測し当該ストレスレベルが一定値以上となっている時間が一定時間以上の場合には当該操作者が決裁すべき事項を確認する時間を計測し、当該確認時間が一定時間以内の場合に第１−３の実施例の処理を行う場合の実施例について示す。
【００４４】
予め、決裁情報管理サーバの決裁情報毎に決裁するための必要となる確認時間を決裁情報とともに管理しておく。
【００４５】
そして、第１−３の実施例において、決裁処理部２２は決裁情報を操作者に提示するとＯＳ２７から現在時刻を取得して記憶しておく。
【００４６】
操作者が了承の操作を行うと、入力部２１は当該了承を決裁処理部２２に通知する。決裁処理部２２は、了承を受信すると、ストレス対処部２６からストレスが通知されていると第１−３の実施例と同様の処理を行う。
【００４７】
第６の実施例として、第５の実施例において、警告を発する、決裁情報に前記ストレスレベルを付加して上位決裁者に前記決裁情報と前記ストレスレベルを通知する、当該決裁を拒否する、為のストレスレベルの一定値あるいは一定時間または一定値及び一定時間を、それぞれの場合で異なるものとし、ストレスレベルの値及びその時間に応じて対応する処理を行う場合の実施例について示す。
【００４８】
第５の実施例において、第４の実施例で示したストレスレベルの判定及び判定決裁に基づく処理を行うことにより実現できる。
【００４９】
第７の実施例として、情報機器を利用した決裁の代わりに、操作者、システム運用者あるいはシステムが指定した業務処理に関して、第１−６の実施例の処理を行う場合の実施例について示す。
【００５０】
ブロック構成図として決裁処理部２２の代わりに業務処理部を設けるとともに当該業務処理部はストレス処理に関して前記決裁処理部２２と同様の機能を有し、操作者が対象となる業務を実施する際の操作時に、第１−６の実施例と同様の処理を行うことにより実現できる。
【００５１】
なお、決裁処理のように、他人の処理が介在しない場合には、ストレスレベルを他人に通知する機能は不要である。
【図面の簡単な説明】
【００５２】
【図１】本発明を実現するためのシステムの構成例を示す図である。
【図２】本発明を実現するための決裁者端末２の構成例を示す図である。
【図３】本発明を実現するための操作者のストレス監視に監視処理に関するフローチャートの例を示す図である。
【図４】本発明を実現するためのストレス開始時刻管理情報の構成例を示す図である。
【図５】本発明を実現するためのストレスレベルに対応した対処処理に関するフローチャートの例を示す図である。
【図６】本発明を実現するためのストレスレベルに対応した対処処理に関するフローチャートの例を示す図である。
【図７】本発明を実現するためのストレスレベルに対応した対処処理に関するフローチャートの例を示す図である。
【図８】本発明を実現するためのストレスレベルに対応した対処処理に関するフローチャートの例を示す図である。
【図９】本発明を実現するためのストレスレベルに対応した対処処理に関するフローチャートの例を示す図である。
【符号の説明】
【００５３】
１…決裁要求元端末
２…決裁者端末
３…決裁情報管理サーバ
４…ネットワーク
２１…入力部
２２…決裁処理部
２３…通信管理部
２４…出力部
２５…ストレス計測部
２６…ストレス対処部
２７…ＯＳ
【図１】
2006318298.tif 000003
【図２】
2006318298.tif 000004
【図３】
2006318298.tif 000005
【図４】
2006318298.tif 000006
【図５】
2006318298.tif 000007
【図６】
2006318298.tif 000008
【図７】
2006318298.tif 000009
【図８】
2006318298.tif 000010
【図９】
2006318298.tif 000011